(57)【特許請求の範囲】
【請求項１】
スペクトル幅が数百ｎｍであるレーザ光を単一モード光として出射する光ファイバと、
前記光ファイバから拡光して出射されたレーザ光をコリメートするコリメートレンズであって、アクロマティックレンズで構成されたコリメートレンズと、
前記コリメートレンズによりコリメートされたレーザ光を集光する集光レンズであって、アクロマティックレンズで構成された集光レンズと、
前記光ファイバから出射されるレーザ光の入射位置を設定するレーザ光入射部と、
前記コリメートレンズを固定するコリメートレンズ設置部と、を備え、
前記レーザ光の入射位置と前記コリメートレンズの中心位置との距離の、前記レーザ光に含まれる基準波長成分での前記コリメートレンズの焦点距離に対するずれ量で規定される調整位置と、前記レーザ光の波長成分毎に異なるビームウエスト位置の、前記コリメートレンズを介して形成される前記基準波長成分のビームウエスト位置に対する変動量の最大値と最小値の差で規定される変動幅との関係において、
前記変動幅が極小となる位置と、前記変動幅がサブピークとなる位置との間に前記調整位置が収まるよう、前記レーザ光の入射位置と前記コリメートレンズの中心位置との距離が調整されていることを特徴とするレーザ光源。
【請求項２】
前記集光レンズを固定する集光レンズ設置部を備え、
前記レーザ光に含まれる波長成分毎に異なる前記集光レンズの集光距離について、その集光距離の最大差が概ね最小となるよう、前記集光レンズの中心位置と前記コリメートレンズの中心位置の間隔が設定されていることを特徴とする請求項１記載のレーザ光源。
【請求項３】
前記レーザ光入射部と前記コリメートレンズ設置部のいずれか一方に設けられた位置調整部であって、前記レーザ光の入射位置と前記コリメートレンズの中心位置との距離を、１０μｍレベル以下で位置調整可能にする位置調整部を備えたことを特徴とする請求項１記載のレーザ光源。
【請求項４】
前記光ファイバのレーザ光出射端に設けられたピンホールを備えたことを特徴とする請求項１記載のレーザ光源。
【請求項５】
前記ピンホールの開口径は、前記レーザ光に含まれる波長成分のうち最短波長成分に対する、前記光ファイバのモードフィールド径と等しいかそれ以下であることを特徴とする請求項４記載のレーザ光源。
【請求項６】
前記ピンホールを規定する開口端がテーパー状に加工されていることを特徴とする請求項４記載のレーザ光源。
【発明の詳細な説明】
【技術分野】
【０００１】
本発明は、広いスペクトル幅を有する入力光をコリメートするためのコリメータ装置、及び、広いスペクトル幅を有する入力光をコリメートした後に集光することによりレーザ照射を実現するためのレーザ光源に関するものである。
【背景技術】
【０００２】
レーザ光を用いた加工では、光ファイバの端面から拡光出射されたレーザ光をコリメートした後に、集光レンズを用いてコリメートされたレーザ光を集光し、加工対象物の一点にレーザ光を集中させる構成が用いられる。ここで、白色光などの広いスペクトル幅を有する多色光の場合、光の波長によって焦点距離が異なる。それに起因して、光ファイバの端面から出射された光が光ファイバの端面に対して平面波となる位置（ビームウエスト）も光の波長によって異なり、多色光を一点に集中させることは困難である。そこで、従来のレーザ加工技術では、集光レンズとしてアクロマティックレンズを用いることで、色収差を小さくするといった工夫がなされている。
【発明の概要】
【発明が解決しようとする課題】
【０００３】
発明者らは従来のレーザ加工技術について検討した結果、以下のような課題を発見した。すなわち、多色光が数百ｎｍのスペクトル幅をもつ光の場合、アクロマティックレンズを使用しても、波長成分の違いに起因して集光点の位置にかなりの差が生じることが予想される。深さの正確さが要求されるような薄い基板の厚さ方向のレーザ加工等の微細加工においては、色収差が加工精度に影響を与える可能性がある。【０００４】
本発明は上述のような課題を解決するためになされたものであり、広いスペクトル幅からなる多色光をコリメートする場合に、平面波が生成されるビームウエストの波長に依存する位置差（多色光に含まれる波長に依存するビームウエスト位置の変動量）をより小さくすることが可能なコリメータ装置と、多色光を集光する際に、多色光内の波長に依存した集光距離差を小さくすることが可能なレーザ光源とを提供することを目的としている。
【課題を解決するための手段】
【０００５】
上記目的を達成するため、本発明の第１態様に係るコリメータ装置は、レーザ光入射部と、コリメートレンズと、コリメートレンズ設置部と、位置調整部を備える。レーザ光入射部は、レーザ光の入射位置を設定する。コリメートレンズは、レーザ光入射部から到達したレーザ光をコリメートする。また、コリメートレンズは、アクロマティックレンズで構成されている。コリメートレンズ設置部は、コリメートレンズを設置する。位置調整部は、レーザ光の入射位置とコリメートレンズの中心位置との距離を１０μｍレベル以下で位置調整可能にする。なお、「コリメートレンズの中心位置」は、図３（Ａ）〜３（Ｃ）及び図５（Ａ）に示されたように、レンズの最大有効径を規定する位置を意味し、以下の説明において、特に言及することなく単に「コリメータレンズの位置」と言うときは、「コリメートレンズの中心位置」を意味するものとする。【０００６】
本発明の第２の態様に係るレーザ光源は、上記第１の態様に係るコリメータ装置が適用可能なレーザ光源である。この第２実施形態に係るレーザ光源は、光ファイバと、コリメートレンズと、集光レンズと、レーザ光入射部と、コリメートレンズ設置部を備える。光ファイバは、スペクトル幅が数百ｎｍであるレーザ光を単一モード光として出射する。コリメートレンズは、光ファイバから拡光して出射されたレーザ光をコリメートする。また、コリメートレンズは、アクロマティックレンズで構成されている。集光レンズは、コリメートレンズによりコリメートされたレーザ光を集光する。また、集光レンズは、アクロマティックレンズで構成されている。レーザ光入射部は、光ファイバから出射されるレーザ光の入射位置を設定する。コリメートレンズ設置部は、コリメートレンズを固定する。【０００７】
特に、第２の態様に係るレーザ光源では、レーザ光の入射位置とコリメートレンズの調整位置と、コリメートレンズを介して形成されるビームウエスト位置の変動幅（波長依存の最大変動量と波長依存の最小変動量の差）との関係において（図７参照）、レーザ光の入射位置とコリメートレンズの中心位置との距離が調整される。調整位置は、レーザ光の入射位置とコリメートレンズの中心位置との距離の、レーザ光に含まれる基準波長成分でのコリメートレンズの焦点距離に対するずれ量で規定される。変動幅は、レーザ光の波長成分毎に異なるビームウエスト位置の、コリメートレンズを介して形成される基準波長成分のビームウエスト位置に対する変動量の最大値と最小値の差で規定される。レーザ光の入射位置とコリメートレンズの中心位置との距離は、変動幅が極小となる位置と、変動幅がサブピークとなる位置との間に調整位置が収まるよう、調整される。このように、レーザ光の入射位置（光ファイバの光出射端面）とコリメートレンズの中心位置との距離が設定されることにより、波長成分が異なった場合であっても、平面波が生成されるビームウエスト位置の波長依存変動が小さくなる。したがって、多色光を平行光とする場合に平面波が生成される位置の波長毎の差異が小さくなると共に、集光レンズにより集光した後も波長毎の集光位置の差異を小さくすることが可能になる。【０００８】
上記第２の態様に適用可能な第３の態様として、当該レーザ光源は、集光レンズを固定する集光レンズ設置部を備えても良い。この場合、レーザ光に含まれる波長成分毎に異なる集光レンズの集光距離について、その集光距離の最大差が概ね最小となるよう、集光レンズの中心位置とコリメートレンズの中心位置の間隔が設定されるのが好ましい。なお、上記「コリメートレンズの中心位置」と同様に、「集光レンズの中心位置」は、図５（Ａ）に示されたように、レンズの最大有効径を規定する位置を意味し、以下の説明において、特に言及することなく単に「集光レンズの位置」と言うときは、「集光レンズの中心位置」を意味するものとする。【０００９】
上記第２及び第３の態様のうち少なくともいずれかの態様に適用可能な第４の態様として、当該レーザ光源は、レーザ光入射部とコリメートレンズ設置部のいずれか一方に設けられた位置調整部を備えても良い。この位置調整部は、レーザ光の入射位置とコリメートレンズの中心位置との距離を、１０μｍレベル以下で位置調整可能にする。【００１０】
上記第２〜第４の態様のうち少なくともいずれかの態様に適用可能な第５の態様として、当該レーザ光源は、光ファイバのレーザ光出射端に設けられたピンホールを備えても良い。なお、第５の態様に適用な第６の態様として、ピンホールの開口径は、レーザ光に含まれる波長成分のうち最短波長成分に対する、光ファイバのモードフィールド径と等しいかそれ以下であるのが好ましい。さらに、第５及び第６の態様のうち少なくともいずれかの態様に適用可能な第７の態様として、ピンホールを規定する開口端は、テーパー状に加工されていても良い。
【発明の効果】
【００１１】
本実施形態によれば、広いスペクトル幅からなる多色光をコリメートする場合に平面波が生成される位置（ビームウエスト）の波長毎の差異をより小さくすることが可能なコリメータ装置と、広いスペクトル幅を有する入力光をコリメートした後に集光する際に、波長毎の集光位置の差異を小さくすることが可能なレーザ光源と、が提供される。
【図面の簡単な説明】
【００１２】
【図１】は、第1実施形態に係るコリメータ装置及びレーザ光源それぞれの概略構成図である。
【図２】は、平凸レンズ及びアクロマティックレンズのそれぞれに対して平面波を入射させた場合の色収差を示す図である。
【図３】は、光ファイバの端面とコリメートレンズの中心位置との距離を波長λ２での焦点距離に固定した状態で、コリメートレンズからビームウエスト（平面波）までの距離ｆ２’に対してビームウエストの位置が出力光波長に応じてどのように変動するかを模式的に示した図である。
【図４】は、光ファイバの端面とコリメートレンズの中心位置との距離を波長１．１μｍにおけるコリメートレンズの焦点距離に固定した状態で、波長１．１μｍにおけるビームウエスト位置を基準位置として、波長０．９μｍ〜１．３μｍに対するビームウエスト（平面波となる位置）の位置変動量Δｆ’の関係を示す図である。
【図５】は、光ファイバの端面とコリメートレンズの中心位置との距離を波長１．１μｍにおけるコリメートレンズの焦点距離に固定した状態で、コリメートレンズの中心位置と集光レンズの中心位置との間隔Ａに対する波長依存の焦点距離差Δαの関係を示す図である。
【図６】は、コリメートレンズの調整位置±βを変化させ、波長０．９μｍ〜１．３μｍに対するビームウエスト位置を計算した結果を示す図である。
【図７】は、コリメートレンズの調整位置±βに対して、多色光のビームウエストの位置差（波長の違いに起因したビームウエスト位置の変動幅）を求めた結果を示す図である。
【図８】は、コリメートレンズの調整位置±βを変化させ、コリメートレンズと集光レンズの間隔Ａに対する多色光（波長０．９〜１．３μｍ）の波長依存の焦点距離差Δαの計算結果を示す図である。
【図９】は、第２実施形態に係るレーザ光源１００の概略構成図である。
【図１０】は、多色光光源１０から出射されるレーザ光に含まれる波長成分のうち最短波長成分に対する光ファイバ２０のモードフィールド径と同程度に開口径が設計されたピンホールを通過した最長波長成分の光パワーを示す図である。
【発明を実施するための形態】
【００１３】
以下、添付図面を参照しながら本発明の各実施形態を詳細に説明する。なお、図面の説明において、同一部位、同一要素には同一符号を付して重複する説明を省略する。
【００１４】
（第１実施形態）
図１（Ａ）及び図１（Ｂ）は、第１実施形態に係るコリメータ装置２とレーザ光源１の概略構成図である。図１（Ａ）のコリメータ装置２は、レーザ光の出射位置を設定するレーザ光入射部２５、コリメートレンズ３０、コリメートレンズ３０を固定するコリメートレンズ設置部３５、レーザ光入射部２５のレーザ光出射位置（光ファイバ出射端面）２２とコリメートレンズ３０の位置との間隔を調整するため、レーザ光入射部の位置を調整する位置調整部５０とで構成される。位置調整部５０は、コリメートレンズ設置部３５の位置を調整できるように設置されていても良い。図１(Ｂ)のレーザ光源１は、光源１０、光ファイバ２０、端面２２を固定するレーザ光入射部２５、コリメートレンズ３０、コリメートレンズ３０を固定するコリメートレンズ設置部３５、集光レンズ４０、及び、集光レンズ４０を固定する集光レンズ設置部４５を含んで構成される。このうち、レーザ光入射部２５、コリメートレンズ３０、コリメートレンズ設置部３５がコリメータ装置として機能する。レーザ光源１０は出力用の光ファイバ２０を含んでいても良い。光ファイバ２０の出射端面２２は、端部に光ファイバの２０の端面損傷を避けるため、光ファイバ２０を導波してきた光のパワー密度を低下させるコアレスファイバのエンドキャップ構造を有するものであっても良い。
【００１５】
多色光光源１０は、一例としては、０．９〜１．３μｍのスペクトル幅の多色光を出射する光源である。多色光光源１０より出射された多色光は、光ファイバ２０の一方の端面２１から光ファイバ２０のコア領域に入射する。光ファイバ２０は、中心部分のコア領域とコア領域の周囲を覆うクラッド領域とから構成され、端面２１からコア領域に入射した多色光は、コア領域内を伝搬し、他方の出射端面２２から出射される。光ファイバ２０のコア領域の径は、例えば１０μｍ程度とされる。なお、光ファイバ２０の出射端面２２は、狭いコア領域から高出力強度のレーザ光が出射すると、端面損傷が発生するため、それを避けるためのパワー密度を低下させることができるコアレスファイバなどからなるエンドキャップファイバを介して出射されることになる。一例として、エンドキャップファイバは、長さ５００μｍ、直径１２５μｍのコアレスのガラスロッドである。実際にはこれらのものが付いた状態での出射径、出射角度を想定し、それに合致して、レーザ光源１が設計される。以下においては、説明を簡単にするために、光ファイバ２０の出射端面２２にエンドキャップが設けられていない構成について、説明する。
【００１６】
光ファイバ２０の出射端面２２から出射された多色光は、コリメートレンズ３０に入射し、コリメートされた後に出射される。そして、コリメートされた多色光は、集光レンズ４０へ入射し、集光レンズ４０を経ることで、波長毎に異なる点Ｐ（点Ｐmin（最短焦点位置）〜点Ｐmax（最遠焦点位置））に集光される。
【００１７】
光ファイバ２０の出射端面２２は、レーザ光入射部２５により固定されている。またコリメートレンズ３０はコリメートレンズ設置部３５により固定されている。コリメートレンズ設置部３５とレーザ光入射部２５とは、位置調整部５０により、相対位置がμｍ単位で調整可能である。集光レンズ４０は、集光レンズ設置部４５により固定されている。集光レンズ設置部４５とコリメートレンズ設置部３５については、相対位置が１０ｍｍ単位で調整可能である。
【００１８】
一般的に、多色光光源１０から出射される光が単一波長の光、すなわち単色光である場合には、その波長に対応した焦点距離ｆとなる位置にコリメートレンズ３０を設けることにより、光ファイバ２０から出射された光から平行光を生成することが可能となる。そして、このコリメートレンズ３０の位置を調整することにより、所望の位置に平面波を生成することができる。そして、平面波が生成される位置に集光レンズ４０を設けることにより、集光レンズ４０から焦点距離の位置に、当該単色光が最も集光された集光点が形成される。
【００１９】
多色光光源１０から出射された光が、波長域が数百ｎｍにおよぶ広い多色光である場合、仮にコリメートレンズ３０で平面波が同じ位置に生成されたとしても、集光レンズ４０では、それぞれの光の色収差のために、光軸方向の一点に集光をすることができないと考えられていた。ここで、平凸レンズ及びアクロマティックレンズ（型番：４５７８３−Ｌ、Ｅｄｍｕｎｄ社製）のそれぞれに対して平面波を入射させた場合の色収差を計算した結果を図２に示す。図２（Ａ）は、平面波が入射した際の多色光の色収差による焦点距離差を図示したものであり、図２（Ｂ）はその結果を示す。なお、図２（Ｂ）において、グラフＧ２１０は平凸レンズの計算結果、グラフＧ２２０はアクロマティックレンズの計算結果を示す。また、図２（Ｂ）のグラフの縦軸は、波長０．９μｍ帯の光が集光レンズ（平凸レンズまたはアクロマティックレンズ）を通過した後の焦点の位置を０とした場合に、それぞれの波長の光の焦点位置の差を指す。例えば、図２（Ｂ）の計算で用いたアクロマティックレンズは、０．７μｍ〜１．１μｍの多色光に対して、アクロマティックレンズとしての機能を発揮することができることが示されている。一方、計算の結果、アクロマティックレンズは波長が１．２μｍ、１．３μｍの光に対しても、０．７μｍ〜１．１μｍの多色光と同様のレンズ特性（焦点位置の変化）を示すことが確認された。なお、波長０．９μｍの光と波長１．３μｍの光との焦点位置の差は、アクロマティックレンズの場合は４３μｍであり、平凸レンズの場合は１２０μｍであった。すなわち、アクロマティックレンズを集光レンズとして用いることで、平凸レンズを使用する場合と比較して、入射する光の波長が変わった場合の焦点位置との差をより小さくすることができることが確認される。
【００２０】
図１（Ｂ）のレーザ光源１のように、光ファイバ２０の出射端面２２から出射された多色光をコリメートレンズ３０でコリメートした後、集光レンズ４０で集光する場合には、図２に示されたように、一般的には、集光レンズ４０への入射光は平面波であることが求められていた。しかしながら、拡光された光がコリメートレンズ３０へ入射する場合は、波長によってはコリメートタンズ３０への入射波が同じ位置で平面波とはならず、集光位置は、複雑なものとなる。
【００２１】
図３は、多色光光源１０からの光が、光ファイバ２０の出射端面２２から拡光して出射され、コリメートレンズ３０によりコリメート（平行光化）される場合に、コリメートレンズ３０からビームウエスト（平面波となる位置）までの距離ｆｎ’が出力光の波長λに応じてどのように変動するかを模式的に示したものである。各波長において、コリメートレンズ３０の位置（中心位置）は、波長λ２の光がコリメートレンズ３０から光ファイバ２０へ向けて出射された場合に、光ファイバ２０出射端面２２で該波長λ２の光が集光する位置Ｌ１に設置されている（図３（Ｂ））。λ１、λ２、λ３は、λ3＜λ２＜λ1の関係であり、波長λ２よりも長い波長λ１では、コリメートレンズ３０からビームウエストまでの距離ｆ１’が、マイナス（光ファイバ２０の出射端面２２側）となる（図３（Ａ））。なお、図３（Ａ）の場合、ビームウエストは、実際には存在しないので、仮想のもの。波長λ２よりも短い波長λ3では、コリメートレンズ３０からビームウエストまでの距離f3’が、プラス(集光レンズ４０側)となる（図３（Ｃ））。また、図３では、波長λ１と波長λ３のそれぞれのビームウエストまでの距離ｆｎ’の、ｆ2’を基準とした位置変動量をΔｆ’としている。
【００２２】
図４に、基準波長λ２を１．１μｍとした際の、波長０．９〜１．３μｍでのビームウエストの位置変動量Δｆ’を示す。Δｆ’は、約＋２００ｍｍ〜約−４００ｍｍの間で変動している。波長０．９〜１．３μｍにおける集光点位置の中央値（波長０．９〜１．３μｍにおける焦点距離差の変動幅中央値）は、図２では、波長１．１μｍ近傍であるが、波長０．９〜１．３μｍにおけるビームウエスト位置の中央値（波長０．９〜１．３μｍにおける位置変動幅の変動幅中央値）は、図４では、波長１．１μｍからかなり外れている印象を受ける。なお、コリメートレンズ３０は、図２で用い示したアクロマティックレンズと同じものを使用した。
【００２３】
図５（Ａ）は、図３におけるコリメータ装置の構成に対し、図２（Ａ）の集光レンズ４０（図２で示されたアクロマティックレンズと同じもの）を配置した図であり、基準波長λ２を１．１μｍとしている。図５（Ｂ）は、上記の条件で、コリメートレンズ３０と集光レンズ４０との間隔Ａに対する、波長帯（０．９μｍ〜１．３μｍ）の光における焦点距離差Δα（＝Ｐｍａｘ−Ｐｍｉｎ）と、の関係を示す。ここでは、間隔Ａを大きくするに従って、波長依存の焦点距離差Δαは小さくなり、約１０００ｍｍ近傍で、最小となるΔαが約３０μｍであることが確認できる。しかし、間隔Ａが１０００ｍｍを超えると、Δαは、逆に増大する傾向を示している。
【００２４】
次に、図４では、光ファイバ２０の出射端面２２とコリメートレンズ３０との距離をｆ１．１μｍ（基準波長１．１μｍの光に対するコリメートレンズ３０の焦点距離）とした場合のみであるが、この距離を微小領域で変動させた場合にビームウエストの位置はどのような挙動を示すのかを調査した。この計算結果を図６に示す。図６（Ａ）は、図５（Ａ）に対し、コリメートレンズ３０の設置位置Ｌ１をｆ１．１μｍで示された位置（基準位置）とし、該基準位置から±β（調整位置）だけ変動させていることを示す。ここで、調整位置±βのプラス値は基準位置Ｌ１に対して集光レンズ４０側の領域を示し、調整位置±βのマイナス値は基準位置Ｌ１に対して光ファイバ２０の出射端面２２側の領域を示す。図６（Ｂ）では、コリメートレンズ３０の設置位置を、ｆ１．１μｍで±β＝０μｍとしたもの（コリメートレンズ３０を基準位置に設置）と、その位置からコリメートレンズ３０の位置を２０μｍ間隔で増減させた。なお、図６（Ｂ）では、参考までに、±β＝−６４０、＋６２０μｍの事例を追記している。また、ここでいうビームウエストの位置変動量Δf’は、「ｆｎ’(±β)−ｆ１．１μｍ’(±β)」を指し、ｆｎ’(±β)は、コリメートレンズの設置位置を「ｆ１．１μｍ±β」とした場合の波長λｎでのコリメートレンズ３０の焦点位置を指す。
【００２５】
具体的に、図６（Ｂ）中、グラフＧ６１０はｆ１．１μｍで±β＝０μｍであるコリメートレンズ３０の設置位置での関係、グラフＧ６１１は±β＝＋２０μｍであるコリメートレンズ３０の設置位置での関係、グラフＧ６１２は±β＝＋４０μｍであるコリメートレンズ３０の設置位置での関係、グラフＧ６１３は±β＝＋６０μｍであるコリメートレンズ３０の設置位置での関係、グラフＧ６１４は±β＝＋８０μｍであるコリメートレンズ３０の設置位置での関係、グラフＧ６１５は±β＝＋１４０μｍであるコリメートレンズ３０の設置位置での関係、グラフＧ６１６は±β＝＋６２０μｍであるコリメートレンズ３０の設置位置での関係、グラフＧ６２１は±β＝―２０μｍであるコリメートレンズ３０の設置位置での関係、グラフＧ６２２は±β＝―４０μｍであるコリメートレンズ３０の設置位置での関係、グラフＧ６２３は±β＝―６０μｍであるコリメートレンズ３０の設置位置での関係、グラフＧ６２４は±β＝―８０μｍであるコリメートレンズ３０の設置位置での関係、グラフＧ６２５は±β＝―１４０μｍであるコリメートレンズ３０の設置位置での関係、グラフＧ６２６は±β＝―６４０μｍであるコリメートレンズ３０の設置位置での関係、をそれぞれ示す。
【００２６】
図６（Ｂ）から判るように、±βを僅か２０μｍ間隔で変動させただけであるが、ビームウエストの位置変動量Δf’は大きく変動していることが分かる。
【００２７】
図６（Ｂ）より得られた計算結果から、コリメートレンズ３０の調整位置±βに対して、光の波長を０．９μｍ〜１．３μｍと変化させた場合のビームウエスト位置の最大の変動幅Δf（＝Δｆ’ｍａｘ（最大位置）−Δｆ’ｍｉｎ（最小位置））を求めた。この結果を図７に示す。調整位置±βが０μｍで、Δｆが最大の値を取り（最大値を取る極大点である主ピークＰ１）、マイナス方向においては、Δｆ＝０を漸近線として減少している。一方、プラス方向では、＋５０μｍにおいてΔｆが一旦極小となり（極小点Ｐ０）、＋１００μｍ付近で再びピーク（主ピークＰ１よりも小さいが２番目に大きな値を取る極大点であるサブピークＰ２）を迎え、更にプラス方向にコリメートレンズの位置を移動すると、Δｆは０に向けて減少することが確認された。Δfが最大となる点があることは予想していたが、極小となる点があることについては予想外であった。
【００２８】
図７では、ビームウエストの変動幅Δfが予想外の挙動であり、調整位置±βを変動させることで、本発明の最終目的である波長依存の焦点距離差Δαがどう変動するかを調査することにした。図８に、図６と同様の条件下で、調整位置±βを変動させ、コリメートレンズ３０と集光レンズ４０の間隔Ａに対する波長依存の焦点距離差Δαの変動の計算結果を示す。コリメートレンズ３０と集光レンズ４０は、図２で示されたアクロマティックレンズと同じものを使用した。図８では、調整位置±βを、−１００μｍ、０μｍ、＋５０μｍ、＋１００μｍ、＋６２０μｍとした場合について、計算した。すなわち、図８において、グラフＧ８１０は±β＝−１００μｍの設置位置、グラフＧ８２０は±β＝０μｍの設置位置、グラフＧ８３０は±β＝＋５０μｍの設置位置、グラフＧ８４０は±β＝＋１００μｍの設置位置、グラフＧ８５０は±β＝＋６２０μｍの設置位置、それぞれにおける波長依存の焦点距離差を示す。
【００２９】
±β＝＋５０μｍにおけるΔαは、間隔Ａを９００ｍｍとした場合に最小値Δα＝６μｍとなった。この値は、図２で示したアクロマティックレンズのΔα（４３μｍ）と比べて約１／７であった。装置全体の小型化したい場合には、間隔Ａを小さくする必要があり、Ａが小さな領域では、Δαが極小となる±β＝＋５０μｍの場合の方が、±β＝０μｍの場合よりも小さな値を取る領域（例えば、Ａ≧４００ｍｍ）が存在する。±β＝＋１００μｍでも、Ａの領域の選択次第では、±β＝＋５０μｍの場合よりも小さな値を取る領域（例えば、Ａ＝３００〜５００ｍｍ）が存在し、有用であることが確認される。この結果は図７からは予想ができない意外なものであった。
【００３０】
上記図７、図８は、他のアクロマティックレンズでの確認は行っていないが、光ファイバ２０からの出射光の位置とコリメートレンズ３０の設置位置の関係を変動させ、Δｆの変動を調査し、Δｆの極小値が確認される場合には、図８に示すような関係が得られるものと考えられる。
【００３１】
（第２実施形態）
図９は、第２実施形態に係るレーザ光源１００の概略構成図である。この第２実施形態に係るレーザ光源１００は、図１（Ｂ）に示された第１実施形態に係るレーザ光源１の構成を含み、さらに、レーザ光の出射位置すなわち単一モード光を伝搬させる光ファイバ２０の出射端面２２に設置されたピンホールマスク２６を備える。ピンホールマスク２６には、ピンホール２６０が形成されており、ピンホール２６０のサイズ（開口径）は、多色光光源１０から出射される多色光の波長成分のうち最短波長の成分に対する、光ファイバ２０のモードフィールド径と同程度か、そのモードフィールド径に比べ１割小さい。ピンホールマスク２６の厚さは、１００μｍ程度以下の極力薄い厚さの物が良い。それよりも厚いピンホールマスク２６の場合、ピンホール２６０の断面形状は、ピンホール２６０内を伝搬し回折により拡がっていく最短波長の光が遮られない様に、テーパー形状の加工が施されるのが好ましい。ピンホール２６０を通過した全波長成分の、光ファイバ２０の出射端面２２におけるビーム径は、同程度となるように設置されている。特に、多色光光源１０から出射される多色光の波長帯域が広い場合（スペクトル幅が大きい場合）、長波長側の波長成分に対するモードフィールド径は、最短波長成分に対するモードフィールド径よりも大きくなる。そのため、短波長成分に対するモードフィールド径と同程度の最大径を有するピンホール２６０を通過する際に光エネルギーがカットされ、エアリディスク（サイドローブ）が生じることがある（図１０参照）。サイドローブ領域の光パワーが全光パワーの１割を占める場合は、必要に応じて遠視野像（コリメートレンズ設置部３５と集光レンズ設置部４５の間に形成される像）において、サイドローブをカットするアパーチャーを設置する場合もある。なお、本発明は、波長それぞれに対するモードフィールド径が同一になるという条件下での発明であるが、ピンホールが無い場合は、波長に依存したモードフィールド径が存在し、そのモードフィールド径を反映した焦点距離差Δαが現れることが考えられる。
【符号の説明】
【００３２】
１…レーザ光源、１０…光源、２０…光ファイバ、２５…レーザ光入射部、２６…ピンホールマスク、３０…コリメートレンズ、３５…コリメートレンズ設置部、４０…集光レンズ、４５…集光レンズ設置部、５０…位置調整部、２６０…ピンホール。
【図１】
0005983613.tif 000002
【図２】
0005983613.tif 000003
【図３】
0005983613.tif 000004
【図４】
0005983613.tif 000005
【図５】
0005983613.tif 000006
【図６】
0005983613.tif 000007
【図７】
0005983613.tif 000008
【図８】
0005983613.tif 000009
【図９】
0005983613.tif 000010
【図１０】
0005983613.tif 000011